(57)【要約】【課題】ストラップとグリップ本体の位置関係に自由度を持たせることができて、歩行補助効果を十分に高めることが可能になると共に、グリップ本体の部材の共通化が図れてコスト的に有利な歩行補助用ポールのグリップを提供する。【解決手段】グリップ本体の上端部と下端部との間に配設されるストラップの上端が、グリップ本体の上端部にポールの軸回り方向に所定角度可動可能に配設されて歩行者の親指を支持可能なストラップ支持部材に取り付けられていることを特徴とする。前記ストラップ支持部材は、グリップ本体の左右両外側に突出して設けられて歩行者の人差し指を支持する左右一対の翼部を有し、この一対の翼部のうちいずれかの翼部にストラップの上端が取り付けられる。【選択図】  図２
2016030115.tif 000002
【特許請求の範囲】
【請求項１】
ポールの上端に配設されたグリップ本体と、該グリップ本体の上端部と下端部との間に配設され歩行者が当該グリップ本体を握った際に、歩行者の手の甲を支持可能なストラップと、を備え、
前記ストラップは、その上端が、前記グリップ本体の上端部に前記ポールの軸回り方向に所定角度可動可能に配設されて歩行者の人差し指を支持可能なストラップ支持部材に取り付けられていることを特徴とする歩行補助用ポールのグリップ。
【請求項２】
前記ストラップ支持部材は、前記グリップ本体の左右両外側に突出して設けられて歩行者の人差し指を支持する左右一対の翼部を有し、該一対の翼部のうちいずれかの翼部に前記ストラップの上端が取り付けられていることを特徴とする請求項１に記載の歩行補助用ポールのグリップ。
【請求項３】
前記ストラップ支持部材は、前記グリップ本体の本体部と該本体部上に配設される親指支持部との間に所定角度回動可能に取り付けられる取付部と、該取付部の左右両側に対称的に一体形成され前記ストラップの係止バンドが係止可能な係止孔がそれぞれ形成された前記翼部を有していることを特徴とする請求項２に記載の歩行補助用ポールのグリップ。
【請求項４】
前記ストラップ支持部材は、その取付部の中心位置に設けた嵌合孔が、前記親指支持部の下面に形成された嵌合凸部に回動可能に嵌合されていることを特徴とする請求項３に記載の歩行補助用ポールのグリップ。
【発明の詳細な説明】
【技術分野】
【０００１】
本発明は、例えばノルディック・ウォークをする際に使用したり高齢者等が歩行する際に杖として使用する歩行補助用ポールに関わり、特にポールの上端に取り付けられて歩行者が手で握るためのグリップに関する。
【背景技術】
【０００２】
従来、この種のグリップとしては、例えば特許文献１に開示されている。このグリップは、ポールの上端に取り付けられるグリップ本体と、このグリップ本体の上端部と下端部との間に配設された長さ調整可能なストラップとを備えている。そして、グリップ本体の上端部に設けられた親指支持部の凹状の上面に親指を載せた状態で、他の４本の指でグリップ本体を握ると共に手の甲部分をストラップにより固定して歩行するようにしている。
【先行技術文献】
【特許文献】
【０００３】
【特許文献１】特許第５４６００２号公報
【発明の概要】
【発明が解決しようとする課題】
【０００４】
しかしながら、このようなグリップにあっては、グリップ本体の上端部の親指支持部の一側面にストラップ取付部を介してストラップの上端を取り付けているため、ストラップの上端とグリップ本体の上端部とが固定的に取り付けられて、ストラップの上端とグリップ本体の上端部の位置関係に自由度を持たせることができず、例えば歩行者の手の大きさ等の形態や歩行形態に応じてストラップの位置を微調整することが困難で、歩行者の体格等に対応した的確な歩行補助効果が得られない場合がある。
【０００５】
また、ストラップの上端を取り付けるためのストラップ取付部のグリップ本体に対する位置が固定化されていることから、左手用のグリップと右手用のグリップでは、ストラップ取付部の位置関係が左右対称となり、それぞれ専用のグリップ本体が必要になって、グリップの部材の共通化を図ることが困難でグリップ自体が高価になる等、コスト的に不利になり易い。
【０００６】
本発明は、このような事情に鑑みてなされたもので、その目的は、ストラップとグリップ本体の位置関係に自由度を持たせることができて、歩行補助効果を十分に高めることが可能になると共に、グリップ本体の部材の共通化が図れてコスト的に有利な歩行補助用ポールのグリップを提供することにある。
【課題を解決するための手段】
【０００７】
かかる目的を達成すべく、本発明のうち請求項１に記載の発明は、ポールの上端に配設されたグリップ本体と、該グリップ本体の上端部と下端部との間に配設され歩行者が当該グリップ本体を握った際に、歩行者の手の甲を支持可能なストラップと、を備え、前記ストラップは、その上端が、前記グリップ本体の上端部に前記ポールの軸回り方向に所定角度可動可能に配設されて歩行者の人差し指を支持可能なストラップ支持部材に取り付けられていることを特徴とする。
【０００８】
また、請求項２に記載の発明は、前記ストラップ支持部材が、前記グリップ本体の左右両外側に突出して設けられて歩行者の人差し指を支持する左右一対の翼部を有し、該一対の翼部のうちいずれかの翼部に前記ストラップの上端が取り付けられていることを特徴とする。
【０００９】
また、請求項３に記載の発明は、前記ストラップ支持部材が、前記グリップ本体の本体部と該本体部上に配設される親指支持部との間に所定角度回動可能に取り付けられる取付部と、該取付部の左右両側に対称的に一体形成され前記ストラップの係止バンドが係止可能な係止孔がそれぞれ形成された前記翼部を有していることを特徴とする。さらに、請求項４に記載の発明は、前記ストラップ支持部材の取付部の中心位置に設けた嵌合孔が、前記親指支持部の下面に形成された嵌合凸部に回動可能に嵌合されていることを特徴とする。
【発明の効果】
【００１０】
本発明のうち請求項１に記載の発明によれば、ストラップの上端が、グリップ本体の上端部に回動可能に配設されたストラップ支持部材に取り付けられているため、ストラップ支持部材の回動でストラップ上端が回動し、ストラップとグリップ本体の位置関係に自由度を持たせることができて、歩行補助効果を十分に高めることが可能になると共に、回動動作によりストラップ支持部材を左右対称形状に形成できてその共通化が図れ、左手でも右手でも使用可能でコスト的に有利なグリップを得ることができる。
【００１１】
また、請求項２に記載の発明によれば、請求項１に記載の発明の効果に加え、ストラップ支持部材がグリップ本体の左右両外側に突出して設けられて歩行者の人差し指を支持する左右一対の翼部を有し、この一対の翼部のうちいずれかの翼部にストラップの上端が取り付けられているため、ストラップの上端をいずれかの翼部に係止させることで、左右の歩行補助用ポールとして使用でき、使い勝手に優れたグリップを得ることができる。
【００１２】
また、請求項３に記載の発明によれば、請求項２に記載の発明の効果に加え、ストラップ支持部材がグリップ本体の本体部と親指支持部との間に回動可能に取り付けられる取付部と、取付部の左右両側に対称的に一体形成された翼部を有するため、ストラップ支持部材が回動した場合でも、翼部の対称位置関係を維持できて人差し指を確実に支持できると共に、一体成形によりストラップ取付部材自体を簡単かつ安価に形成することができる。
【００１３】
さらに、請求項４に記載の発明によれば、請求項３に記載の発明の効果に加え、取付部の中心位置に設けた嵌合孔が親指支持部の下面に形成された嵌合凸部に回転可能に嵌合されているため、ストラップ支持部材の回動機構を簡略化できると共に、その回動動作を確実かつ安定して行うことができる。
【図面の簡単な説明】
【００１４】
【図１】本発明に係わるグリップを使用した歩行補助用ポールの正面図
【図２】同グリップの斜視図
【図３】同その分解斜視図
【図４】同側面図
【図５】同分解した縦断面図
【図６】同グリップの上端部と下端部の取付状態を示す拡大した縦断面図
【図７】同図４のＡ−Ａ線矢視図
【図８】同ストラップ上部支持部材の斜視図
【発明を実施するための形態】
【００１５】
以下、本発明を実施するための形態を図面に基づいて詳細に説明する。
図１〜図８は、本発明に係わるグリップの一実施形態を示している。本発明のグリップ１は、図１に示す歩行補助用ポール２に取り付けられて使用される。すなわち、歩行補助用ポール２は、所定長さかもしくは長さ調整可能なポール３を有し、該ポール３の先端である下端には、歩行時の衝撃吸収用のゴムキャップ４が取り付けられ、ポール３の上端にはグリップ１が取り付けられている。
【００１６】
前記グリップ１は、図２に示すように、断面略楕円形状に形成されたグリップ本体５と、このグリップ本体５の上端部５ａと下端部５ｂとの間に配設されたストラップ６を備えている。前記グリップ本体５は、図２〜図５に示すように、ゴム材により成形された本体部７と、この本体部７と同様にゴム材の成形で形成され本体部７の上部に配設される親指支持部８と、本体部７と親指支持部８との間に配設される上部ストラップ支持部材９と、本体部７の下部に配設される下部ストラップ支持部材１０を有している。
【００１７】
前記本体部７は、その下端部に歩行方向ハ（図２参照）の前方側と歩行方向ハに直交する側面側に突出した小指支持部７ａが一体形成されると共に、この小指支持部７ａの下面には円筒形状の支持部材取付部７ｂが一体形成されている。この支持部材取付部７ｂに下部ストラップ支持部材１０が図３の矢印ロに示す如くポール３（グリップ本体５）の軸回り方向（以下、単に軸回り方向という）に回動可能に取り付けられている。
【００１８】
また、この本体部７の上部に上部ストラップ支持部材９を介して取り付けられる前記親指支持部８は、図２及び図３に示すように、本体部７の上端形状より若干大きく形成され、その上面に凹曲面からなる親指載置面８ａが形成されると共に、その中心位置には取付孔８ｂが形成されている。また、親指支持部８の底面には、図５に示すように、嵌合凸部８ｃが形成され、この嵌合凸部８ｃに後述する上部ストラップ支持部材９の嵌合孔９ｃが回動可能に嵌合されるようになっている。
【００１９】
前記上部ストラップ支持部材９は、樹脂成形品により形成され、図３及び図８に示すように、前記グリップ本体５の外形形状に対応し中心位置に前記嵌合孔９ｃが形成された取付部９ａと、該取付部９ａの左右両側に一体的に延設された一対の翼部９ｂを有している。各翼部９ｂは、正面視で略逆Ｕ字形状に形成され、２つの長孔からなる係止孔９ｄがそれぞれ設けられて左右と歩行方向前後で対称形状に形成されている。この上部ストラップ支持部材９の翼部９ｂにより、歩行者がグリップ本体５を親指を除く４本の指で握った際に、人差し指が下方から当接して該人差し指の上方等への動きを規制するようになっている。
【００２０】
そして、この上部ストラップ支持部材９は、本体部７の上面に載置されると共に、その上面に親指支持部８を載置した状態で、親指支持部８の嵌合凸部８ｃを嵌合孔９ｃに嵌合し、この嵌合孔９ｃと取付孔８ｂとを利用して、ネジ１２（図３参照）を本体部７の上面にねじ込むことにより、本体部７に取り付けられている。なお、親指支持部８の本体部７への取り付けは、ネジ１２に限らず、図６に示すように、ピン１３を使用する等、適宜の固着手段を採用することができる。
【００２１】
この取り付けの際に、例えば取付部９ａの嵌合孔９ｃが親指支持部８の嵌合凸部８ｃに回動可能に嵌合されることから、親指支持部８を本体部７にネジ１２等で固定しても、上部ストラップ支持部材９は本体部７に対して図８の矢印イの如く所定角度（例えば２０度程度）連続的に回動可能、すなわち翼部９ｂの本体部７に対する位置がグリップ本体５に対して可変可能となっている。なお、上部ストラップ支持部材９の回動動作は、図７に示すように、取付部９ａに円弧形状のガイド溝１５を設け、このガイド溝１５に本体部７の上面に突出状態で設けたガイドピン１４を係止させて、これらのガイドにより上部ストラップ支持部材９をカイド溝１５の長さに応じて所定角度回動可能とすることが好ましい。
【００２２】
前記下部ストラップ支持部材１０は、樹脂成形品により形成され、図３及び図６等に示すように、前記本体部７の支持部材取付部７ｂに軸回り方向に回動可能に嵌合される円環状の嵌合部１０ａと、この嵌合部１０ａの外周面の一箇所に水平方向外側に所定寸法突出状態で形成されると共に長孔からなる係止孔１０ｃを有する係止部１０ｂを有している。そして、嵌合部１０ａを前記本体部７の支持部材取付部７ｂの周面に設けた円環状の溝７ｃに嵌合させることにより、係止部１０ｂが支持部材取付部７ｂ、すなわちグリップ本体５に対して図３の矢印ロの如く軸回り方向に連続的に３６０度回動可能となっている。
【００２３】
これにより、前記グリップ本体５の場合、本体部７の下部と上部に配設される上部ストラップ支持部材９と下部ストラップ支持部材１０が、本体部７に対して共に軸回り方向に所定角度回動可能となっている。なお、グリップ本体５の本体部７及び支持部材取付部７ｂの軸心位置には、前記ポール３の上端が嵌合固着される上底部が閉塞された取付孔１１（図６参照）が形成されている。
【００２４】
このように構成された本体部７の上部ストラップ支持部材９と下部ストラップ支持部材１０との間に取り付けられる前記ストラップ６は、図２及び図６に示すように、所定幅の布で形成されたストラップ本体部６ａと、このストラップ本体部６ａの長手方向（上下）の両端部に少なくともその一端が縫製等により連結固定された一対の係止バンド６ｂ、６ｃを有している。そして、上方の係止バンド６ｂは、その先端を上部ストラップ支持部材９の一方の翼部９ｂの係止孔９ｄに係止させて折り返し、先端部を基端部と共にストラップ本体部６ａに固着することで、グリップ本体５に対する長さが所定に設定されてグリップ本体５に着脱不能に取り付けられている。
【００２５】
一方、下方の係止バンド６ｃは、その先端を前記下部ストラップ支持部材１０の係止部１０ｂの係止孔１０ｃに挿入して折り返し、ストラップ６の長さ調整をしながら先端裏面に配設されている図示しない布製ファスナーを、ストラップ本体部６ａの表面に配設された図示しない布製ファスナーに係止させる。これによりストラップ６が、前記グリップ本体５の上部ストラップ支持部材９の一方の翼部９ｂと、下部ストラップ支持部材１０の係止部１０ｂとの間に、所定長さを有して取り付けられている。このストラップ６は、下方の係止バンド６ｃの長さを調整することで、グリップ本体５に対する位置が調整されることになる。
【００２６】
次に、前記グリップ１の使用方法について説明する。先ず、グリップ本体５は、製造会社において、その軸心位置に形成された前記取付孔１１を、グリップ本体５の本体部７自体の弾性や接着材を利用してポール３の上端に嵌合することでポール３の上端に取り付けられて出荷される。この製造及び出荷時において、上部ストラップ支持部材９の翼部９ｂが左右及び前後対称位置で所定角度回動可能とされ、かつ下部ストラップ支持部材１０が軸回りに３６０度回動可能とされていることから、上部ストラップ支持部材９の一方の翼部９ｂの係止孔９ｄに上方の係止バンド６ｂが係止されたストラップ６は、その下方の係止バンド６ｃを下部ストラップ支持部材１０の係止孔１０ｃに係止させる。
【００２７】
これにより、上部ストラップ支持部材９の一方の翼部９ｂの係止孔９ｄにストラップ６の上端が係止された歩行補助用ポール２を左手用とし、他方の翼部９ｂの係止孔９ｄにストラップ６の上端が係止された歩行補助用ポール２を右手用として出荷、すなわち、歩行補助用ポール２の製造・出荷において、上部ストラップ支持部材９が左右の歩行補助ポール２の両方に使用（共用）できることになる。
【００２８】
そして、歩行者が２本の歩行補助用ポール２を左右の手で持ってノルディック・ウォークをする場合は、各手の人差し指、中指、薬指及び小指を、各手に対応した歩行補助用ポール２のストラップ６の内側に入れて各指でグリップ本体５の本体部７を握ると共に、ストラップ６の下方の係止バンド６ｃの長さを調整してストラップ６の内面が各手の甲に軽く接触するようにする。このストラップ６の長さ調整は、左手用及び右手用の各歩行補助用ポール２についてそれぞれ行うことになる。
【００２９】
このグリップ本体５の本体部７を４本の指で握り、かつ親指を親指支持部８の親指載置面８ａに載置した状態において、各手の甲がストラップ６で支持されると共に、人差し指の上方等への動きが上部ストラップ支持部材９の翼部９ｂで規制されて各手が安定支持される。また、上部ストラップ支持部材９や下部ストラップ支持部材１０が、軸回り方向に所定角度回動可能に配設されていることから、ストラップ６のグリップ本体５に対する位置関係の自由度が高まり、例えば歩行時の手のグリップ本体５に対する位置変化に確実に追従できて、各手によるグリップ本体５のホールド感を良好に維持しつつ歩行を行うことができる。
【００３０】
つまり、前記グリップ１の場合、ストラップ６の上端と下端を支持する上部ストラップ支持部材９と下部ストラップ支持部材１０を、本体部７に対して共に所定角度回動可能とすることで、ストラップ６のグリップ本体５に対する位置関係の自由度が大幅に改善されることになる。
【００３１】
このように前記グリップ１によれば、ストラップ６の上端が、グリップ本体５の本体部７の上端部に所定角度回動可能に配設され左右及び前後対称位置に一対の翼部９ｂを有する上部ストラップ支持部材９に取り付けられているため、上部ストラップ支持部材９の回動動作でストラップ６上端が回動し、ストラップ６の上端とグリップ本体５との位置関係に自由度を持たせることができて、歩行時のホールド感が向上する等、歩行補助効果を十分に高めることが可能になる。
【００３２】
また、上部ストラップ支持部材９がグリップ本体５の本体部７と親指支持部８との間に回動可能に取り付けられる取付部９ａと、取付部９ａの左右両側に対称的に一体形成された翼部９ｂを有することから、ストラップ支持部材９が回動した場合でも、翼部９ｂの対称位置関係を維持できて人差し指を確実に支持できると共に、一体成形により上部ストラップ支持部材９自体を簡単かつ安価に形成することができる。さらに、上部ストラップ支持部材９の取付部９ａの中心位置に設けた嵌合孔９ｃが親指支持部８の下面に形成された嵌合凸部８ｃに回転可能に嵌合されるため、上部ストラップ支持部材９の回動機構を簡略化できると共に、その回動動作を確実かつ安定して行うことができる。
【００３３】
また、上部ストラップ支持部材９が左右及び前後対称形状に形成されているため、左手用と右手用の両歩行補助用ポール２に供用できて、部材が共通化されグリップ１のコストダウンが図れると共に、例えば摩耗等したグリップ１の交換作業等も容易に行うことができる等、コスト的に有利なグリップ１を得ることが可能になる。
【００３４】
また、ストラップ６の下端が連結支持される下部ストラップ支持部材１０が、グリップ本体５の下端部に軸回り方向に３６０度回動可能に取り付けられているため、ストラップ６下端の回動でストラップ６の下端とグリップ本体５との位置関係にも自由度を持たせることができ、上部ストラップ支持部材９の回動による自由度と合わせ、ストラップ６に所定の自由度を確保できて、歩行時のグリップ１に良好なホールド感が得られる等、歩行補助効果を一層高めることができる。
【００３５】
特に、下部ストラップ支持部材１０が、グリップ本体５の本体部７の下端部に３６０度軸回り方向に回動可能に取り付けられていることから、下部ストラップ支持部材１０のグリップ本体５に対する回動動作で、ストラップ６の下端をグリップ本体５の左右の最適位置に簡単に設定できて、歩行補助効果をより一層高めることができる。
【００３６】
なお、前記実施形態においては、下部ストラップ支持部材１０に一つの係止部１０ｂを設けたが、本発明はこの構成に限定されず、例えば嵌合部１０ａの直径方向の対向位置に係止部１０ｂをそれぞれ設けても良い。このように構成すれば、下部ストラップ支持部材１０の回動可能範囲（角度）を上部ストラップ支持部材９と同様に３６０度ではなく、所定角度（例えば２０度程度）として、下部ストラップ支持部材１０の不用意な回動を規制できることになる。
【００３７】
また、前記実施形態においては、上部ストラップ支持部材９が、親指支持部８の嵌合凸部８ｃに連続的に回動可能としたが、例えば嵌合孔９ｃの内周面と嵌合凸部８ｃの外周面に上下方向の凸条を形成することで、上部ストラップ支持部材９が段階的に回動する構成として良い。この場合、凸条による係止強度を所定に設定することで、所定の力が軸回り方向に作用した場合にのみ上部ストラップ支持部材９を回動可能とすることが好ましい。さらに、前記実施形態おいては、下部ストラップ支持部材１０を３６０度回動可能としたが、例えば下部ストラップ支持部材１０を従来と同様に本体部７の一方の側面側に固定的に設ける構成であっても良い。
【００３８】
また、前記実施形態における、グリップ本体５の各部の形状、ストラップ６の構成、上部ストラップ支持部材９及び下部ストラップ支持部材１０の構成等は一例であって、例えばストラップ６の長さ調整を上下の係止バンド６ｂ、６ｃで共に可能として、ストラップ６と本体部７の位置を手の形態等に応じた位置に設定したり、あるいはストラップ６自体のグリップ本体５からの取り外しを可能として、その交換を容易に行えるようにする等、本発明に係わる各発明の要旨を逸脱しない範囲において、適宜の構成を採用することができる。
【産業上の利用可能性】
【００３９】
本発明は、ノルディック・ウォーク用の歩行補助用ポールへの適用に限らず、リハビリ用や高齢者が歩行する際に使用する杖にも適用できる等、歩行を補助することが可能な全ての歩行補助用ポールのグリップに利用可能である。
【符号の説明】
【００４０】
１・・・・・・・・グリップ
２・・・・・・・・歩行補助用ポール
３・・・・・・・・ポール
４・・・・・・・・ゴムキャップ
５・・・・・・・・グリップ本体
５ａ・・・・・・・上端部
５ｂ・・・・・・・下端部
６・・・・・・・・ストラップ
６ａ・・・・・・・ストラップ本体部
６ｂ、６ｃ・・・・係止バンド
７・・・・・・・・本体部
７ｂ・・・・・・・支持部材取付部
７ｃ・・・・・・・溝
８・・・・・・・・親指支持部
８ａ・・・・・・・親指載置面
８ｃ・・・・・・・嵌合凸部
９・・・・・・・・上部ストラップ支持部材
９ａ・・・・・・・取付部
９ｂ・・・・・・・翼部
９ｃ・・・・・・・嵌合孔
９ｄ・・・・・・・係止孔
１０・・・・・・・下部ストラップ支持部材
１０ａ・・・・・・嵌合部
１０ｂ・・・・・・係止部
１０ｃ・・・・・・係止孔
１１・・・・・・・取付孔
１２・・・・・・・ネジ
【図１】
2016030115.tif 000003
【図２】
2016030115.tif 000004
【図３】
2016030115.tif 000005
【図４】
2016030115.tif 000006
【図５】
2016030115.tif 000007
【図６】
2016030115.tif 000008
【図７】
2016030115.tif 000009
【図８】
2016030115.tif 000010